(57)【特許請求の範囲】
【請求項１】
屋根パネルの軒先側に鼻隠し板が配置され、この鼻隠し板と、この鼻隠し板よりも屋内側に配置されている外壁との間が軒天井にて覆われ、この軒天井の屋外側先端と前記鼻隠し板の下端の間に通気用隙間が設けられている軒先構造において、
前記鼻隠し板および軒天井の表面が金属製の化粧板にて覆われ、この化粧板は鼻隠し板の表面を覆う第一の化粧板と、軒天井表面を覆う第二の化粧板とに分割され、
この第一の化粧板と第二の化粧板とが同一材質のものであり、
この両化粧板の端部同士が第二の化粧板を上にしてオーバーラップするとともに、
両化粧板の端部間に前記通気用隙間に連通する第二の通気用隙間が形成されていることを特徴とする軒先構造。
【請求項２】
前記第二の通気用隙間には、鳥の侵入を防ぐ防鳥ネットが設置されていることを特徴とする請求項１に記載の軒先構造。
【発明の詳細な説明】
【０００１】
【発明の属する技術分野】
本発明は住宅の軒先構造に関する。
【０００２】
【従来の技術】
従来、換気が円滑に行われる一方、換気口からの雨水の吹き込みを防止することができる軒先構造として、例えば図４に示すものが知られている。
【０００３】
この従来の軒先構造は、野地板１１の上面に屋根瓦１２が載置されている屋根パネル１の軒先側に鼻隠し板２が配置され、この鼻隠し板２と、この鼻隠し板２よりも屋内側に配置されている外壁（図示せず）との間が傾斜した軒天井４にて覆われ、この軒天井４の屋内側先端と前記鼻隠し板２の下端の間に通気用隙間６が設けられている。鼻隠し板２および軒天井４の屋外側表面が金属製の化粧板５にて覆われ、この化粧板５には、図５に示すように、上記通気用隙間６に沿って換気を確保するための複数の孔７があけられている。なおＧは軒樋であり、鼻隠し板２の表面に取り付けられた複数の樋吊具Ｈにて支持されている。
【０００４】
【発明が解決しようとする課題】
この上記軒先構造においては、鼻隠し板２および軒天井４の表面が金属製の化粧板５にて覆われ、この化粧板５には換気を確保するための複数の孔７が空けられているが、孔７の加工に費用がかかり、また形状も平面的であり、価格的にも、外観的にもより良いものが要求されている。本発明は、より安価でかつ見栄えがよい、軒先構造を提供することを目的とする。
【０００５】
【課題を解決するための手段】
この課題を解決するために、請求項１に記載の本発明は屋根パネルの軒先側に鼻隠し板が配置され、この鼻隠し板と、この鼻隠し板よりも屋内側に配置されている外壁との間が軒天井にて覆われ、この軒天井の屋外側先端と前記鼻隠し板の下端の間に通気用隙間が設けられている軒先構造において、前記鼻隠し板および軒天井の表面が金属製の化粧板にて覆われ、この化粧板は鼻隠し板の表面を覆う第一の化粧板と、軒天井表面を覆う第二の化粧板とに分割され、この第一の化粧板と第二の化粧板とが同一材質のものであり、この両化粧板の端部同士が第二の化粧板を上にしてオーバーラップするとともに、両化粧板の端部間に前記通気用隙間に連通する第二の通気用隙間が形成されているものである。
【０００６】
また、前記第二の通気用隙間には、鳥の侵入を防ぐ防鳥ネットが設置されている。
【０００７】
（作用）
請求項１に記載の発明においては、鼻隠し板および軒天井の表面が金属製の化粧板にて覆われ、この化粧板は鼻隠し板の表面を覆う第一の化粧板と、軒天井表面を覆う第二の化粧板とに分割され、この両化粧板の端部同士がオーバーラップするとともに、両化粧板の端部間に前記通気用隙間に連通する第二の通気用隙間が形成されているので、化粧板の孔加工は必要ない。
【０００８】
そして、第一の化粧板と第二の化粧板とが同一材質のものであるので、両化粧板の端部間に第二の通気用隙間が存在していても両化粧板の端部同士がオーバーラップしていることと相俟って、軒先部の外観の見栄えは良好である。
【０００９】
【発明の実施の形態】
本発明の実施の形態について、図面に基づいて説明する。図1は本発明の軒先構造の実施例を示す断面図である。図２は本発明の軒元構造の実施例を示す断面図である。
【００１０】
野地板１１の上面に屋根瓦１２が載置されて屋根パネル１とされている。２は木製の鼻隠し板であり、垂木３の先端に設けられている。４は軒天井であり、鼻隠し板２の下端部と外壁９の間の空間を覆っている。軒天井４の屋外側端部４１は木桟を介して釘にて垂木３の下面に固定されている。一方、軒天井４の屋内側端部４２は、図２に示すように、建物の外壁９上端に固定された軒天金具１０の受け部１０ａに差し込まれて固定されている。この場合軒天金具１０の下部１０ｂはブチルゴムテープ等の防水材Ｓを介して外壁９上端に固定されている。
【００１１】
８は軒先水切り材であり、野地板11の端部を覆って、下側に伸び、水切り部８１とされている。この水切り部８１を通じて、屋根瓦１２の裏側に侵入した雨水は軒樋Ｇ内に流れ落ちる。本発明においては、鼻隠し板２の表面および軒天４の屋外側端部４１の表面がそれぞれ第一の化粧鋼板５１、第二の化粧鋼鈑５２にて覆われている。この両化粧鋼鈑はともに同じ材質であり、一般に塩ビ鋼鈑と呼称されているものである。図１に示すように軒天井４の屋外側端部４１を覆っている第二の化粧鋼鈑５２の屋外側端部５２１は略Ｌ字状に折り曲げられている。
【００１２】
その結果、屋外側端部５２１は軒天井４の裏面とほぼ面一とされている。鼻隠し板２の下方に延びている第一の化粧鋼鈑５１の下部５１１は屋内側に９０度折り曲げられ、その端部が第二の化粧鋼鈑５２の屋外側端部５２１の下方に位置するようにされている。
【００１３】
また、第一化粧鋼鈑５１の下部５１１と、第二の化粧鋼鈑５２の屋外側端部５２１とは、その両端部同士が約２〜２０センチメートルオーバーラップするようにされている。この結果両化粧板５１、５２の端部間において第ニの通気用隙間６１が形成されている。第ニの通気用隙間６１は鼻隠し板２の下端と軒天井４の屋外側先端の間に形成されている通気用隙間６と連通されている。また第ニの通気用隙間６１には野鳥が入り込むのを防止する防鳥ネットｍが配設されている。
【００１４】
上記実施例では、軒天井４を外壁９側に向かって上向きに傾斜させたが，図３に示すように、水平にしても良い。その際、図３に示すように、軒先金具１０ａを用いて軒天井４の屋内側端部４２を固定すれば良い。
【発明の効果】
以上のように本発明によれば、鼻隠し板および軒天井の表面が金属製の化粧板にて覆われ、この化粧板は鼻隠し板の表面を覆う第一の化粧板と、軒天井表面を覆う第二の化粧板とに分割され、この両化粧板の端部同士がオーバーラップするとともに、両化粧板の端部間に前記通用隙間に連通する第二の通気用隙間が形成されているので化粧板の孔加工は必要なく安価に加工することができる。
【００１５】
そして、この軒先構造は、第一の化粧板と第二の化粧板とが同一材質のものであるので、両化粧板の端部間に第二の通気用隙間が存在していても両化粧板の端部同士がオーバーラップしていることと相俟って、軒先部の外観の見栄えは良好である。
【図面の簡単な説明】
【図１】本発明の軒先構造の一実施例を示す断面図である
【図２】図１における軒天井の屋内側の固定状態を示す断面図である
【図３】図２の変形例を示す断面図である
【図４】従来の軒先構造を示す断面図である
【図５】図４の要部を示す説明図である
【符号の説明】
１      屋根パネル
２      鼻隠し板
３      垂木
４      軒天井
５      化粧板
５１    第一の化粧板
５２    第二の化粧板
６      通気用隙間
６１    第二の通気用隙間
９      外壁
【図１】
0003967925.tif 000002
【図２】
0003967925.tif 000003
【図３】
0003967925.tif 000004
【図４】
0003967925.tif 000005
【図５】
0003967925.tif 000006